(57)【要約】【課題】視聴が制限されている番組の名称の表示が制限された番組再生装置および番組再生方法を提供する。【解決手段】番組再生装置が、視聴が制限されることを表す視聴制限情報を含む放送信号に基づいて、番組を再生する番組再生装置であって、前記視聴制限情報に対応する番組またはチャンネルの表示を制限することを表す表示制限情報を入力する入力部と、前記表示制限情報に基づいて、前記視聴制限情報に対応する番組またはチャンネルの表示が制限される放送番組表を放送信号から生成する放送番組表生成部と、前記放送番組表を表示する表示部と、前記放送番組表に基づいて選択される番組を再生する再生部と、を具備する。【選択図】図１
2009201040.tif 000002
【特許請求の範囲】
【請求項１】
視聴が制限されることを表す視聴制限情報を含む放送信号に基づいて、番組を再生する番組再生装置であって、
前記視聴制限情報に対応する番組またはチャンネルの表示を制限することを表す表示制限情報を入力する入力部と、
前記表示制限情報に基づいて、前記視聴制限情報に対応する番組またはチャンネルの表示が制限される放送番組表を放送信号から生成する放送番組表生成部と、
前記放送番組表に基づいて選択される番組を再生する再生部と、
を具備することを特徴とする番組再生装置。
【請求項２】
前記放送番組表および前記表示制限情報に基づいて、前記視聴制限情報に対応する番組またはチャンネルの表示が制限される録画予約番組表を生成する録画予約番組表生成部と、
前記録画予約番組表に基づいて、番組を録画する録画部と、
前記表示制限情報に基づいて、前記視聴制限情報に対応する番組またはチャンネルの表示が制限される録画済番組表を生成する録画済番組表生成部と、
をさらに具備することを特徴とする請求項１に記載の番組再生装置。
【請求項３】
視聴制限情報に対応する番組またはチャンネルの表示の制限を所定の条件下で解除することを表す制限解除情報を入力する第２の入力部と、
前記制限解除情報に基づいて、前記視聴制限情報に対応する番組またはチャンネルの表示の制限が解除された第２の放送番組表を生成する第２の放送番組表生成部と、
をさらに具備することを特徴とする請求項１または２に記載の番組再生装置。
【請求項４】
前記第２の放送番組表の表示の停止によって、前記制限解除情報に基づく表示の制限の解除が解消される
ことを特徴とする請求項３に記載の番組再生装置。
【請求項５】
所定時間の経過によって、前記制限解除情報に基づく表示の制限の解除が解消される
ことを特徴とする請求項３に記載の番組再生装置。
【請求項６】
前記制限解除情報に基づき、前記放送番組表、前記録画予約番組表、前記録画済番組表のいずれかについて、表示の制限が解除される
ことを特徴とする請求項３に記載の番組再生装置。
【請求項７】
前記放送番組表、前記録画予約番組表、または前記録画済番組表上で、前記視聴制限情報に対応する番組またはチャンネルの名称が表示されないか、他の文字、記号に置き換えられて表示される
ことを特徴とする請求項２乃至６のいずれか１項に記載の番組再生装置。
【請求項８】
前記放送番組表、前記録画予約番組表、または前記録画済番組表を表示する表示部
をさらに具備することを特徴とする請求項２乃至７のいずれか１項に記載の番組再生装置。
【請求項９】
視聴が制限されることを表す視聴制限情報を含む放送信号に基づいて、番組を再生する番組再生方法であって、
前記視聴制限情報に対応する番組またはチャンネルの表示を制限する表示制限情報を入力するステップと、
前記表示制限情報に基づいて、前記視聴制限情報に対応する番組またはチャンネルの表示が制限される放送番組表を放送信号から生成するステップと、
前記生成される放送番組表に基づいて、番組を選択するステップと、
前記選択される番組を再生するステップと、
を具備することを特徴とする番組再生方法。
【発明の詳細な説明】
【技術分野】
【０００１】
本発明は、放送番組を再生する番組再生装置および番組再生方法に関する。
【背景技術】
【０００２】
デジタルテレビ等の放送信号中には、その番組やチャンネルの視聴年齢が制限されることを表す情報が含まれ、この情報に従って受信機側での番組の視聴が制限される。
なお、視聴年齢の制限に対応して、コンテンツのサムネイル画像を処理する技術が公開されている（特許文献１参照）。
【特許文献１】特開２００７−２８８５８４号公報
【発明の開示】
【発明が解決しようとする課題】
【０００３】
しかしながら、前述の技術では、番組表での番組名の表示は制限されない。ディジタル放送では、放送信号から放送される番組を表す放送番組表を生成し、表示できる。放送番組表中の番組名から番組の内容が推認され、青少年に良くない影響を与える可能性がある。
上記に鑑み、本発明は、視聴が制限されている番組の名称の表示が制限された番組再生装置および番組再生方法を提供することを目的とする。
【課題を解決するための手段】
【０００４】
本発明の一態様に係る番組再生装置は、視聴が制限されることを表す視聴制限情報を含む放送信号に基づいて、番組を再生する番組再生装置であって、前記視聴制限情報に対応する番組またはチャンネルの表示を制限することを表す表示制限情報を入力する入力部と、前記表示制限情報に基づいて、前記視聴制限情報に対応する番組またはチャンネルの表示が制限される放送番組表を放送信号から生成する放送番組表生成部と、前記放送番組表を表示する表示部と、前記放送番組表に基づいて選択される番組を再生する再生部と、を具備する。
【０００５】
本発明の一態様に係る番組再生方法は、視聴が制限されることを表す視聴制限情報を含む放送信号に基づいて、番組を再生する番組再生方法であって、前記視聴制限情報に対応する番組またはチャンネルの表示を制限する表示制限情報を入力するステップと、前記表示制限情報に基づいて、前記視聴制限情報に対応する番組またはチャンネルの表示が制限される放送番組表を放送信号から生成するステップと、前記生成される放送番組表に基づいて、番組を選択するステップと、前記選択される番組を再生するステップと、を具備する。
【発明の効果】
【０００６】
本発明によれば、視聴が制限されている番組の名称の表示が制限された番組再生装置および番組再生方法を提供できる。
【発明を実施するための最良の形態】
【０００７】
以下、図面を参照して、本発明の実施の形態を詳細に説明する。
図１は、本発明の一実施形態に係る放送受信装置１００を表すブロック図である。放送受信装置１００は、録画機能付きのデジタルテレビに対応する。
【０００８】
放送受信装置１００は、アンテナ１０１、チューナ・復調部１０２、デスクランブラ１０３、多重分離部（ＤＥＭＵＸ）１０４、映像・音声デコーダ１０５ａ、ＯＳＤ部１０５ｂ、モニタ１０６、スピーカ１０７、ＥＰＧ処理部１０８、録画処理部１０９、制御部１１１、無線受信部１１２、キー入力部１１３、記憶部１２０を有する。
【０００９】
アンテナ１０１は、放送局から送信される放送信号を受信する。チューナ・復調部１０２は、アンテナ１０１で受信された放送信号から所望のチャンネルを選局し、復調して、トランスポートストリーム（以下、「ＴＳ」と記す）を生成する。生成されたＴＳはデスクランブラ１０３に出力される。このＴＳは、スクランブル化放送信号、ＳＩ／ＰＳＩを含む多重化された信号である。スクランブル化放送信号は、例えば、ＭＰＥＧ−２の放送信号がスクランブル化されたものである。
【００１０】
ＳＩ／ＰＳＩは、番組配列情報である。ＳＩは、ＳＤＴ（Service Definition Table）やＥＩＴ（Event Information Table）等を含む。ＳＤＴは、サービス（編成チャンネル）の詳細情報を記述するものであり、チャンネルの名称、視聴制限情報等を含む。ＥＩＴは、サービス内の番組の詳細情報を記述するものであり、番組名（番組の名称）、視聴制限情報等を含む。ＰＳＩは、多重された複数の番組の構成等を記述したものであり、ＰＡＴ（Program Association Table）、ＰＭＴ（Program Map Table）等を含む。
【００１１】
視聴制限情報は、視聴を制限するための情報であり、番組あるいはチャンネルに付随する。視聴制限情報の一例として、視聴者の年齢を制限する視聴年齢制限情報がある。視聴年齢制限情報は、その番組の視聴が制限される年齢範囲を表す。また、視聴年齢制限情報として、「一般」（あらゆる年齢層が視聴できる）、「PG-12」（12歳未満（小学生以下）での視聴には成人保護者の同伴が適当）、「R-15」（15歳未満（中学生以下）での視聴の禁止）、「R-18」（18歳未満での視聴の禁止）等の年齢別の取り扱い区分を利用しても良い。
【００１２】
デスクランブラ１０３は、チューナ・復調部１０２から入力されたＴＳをデスクランブルして多重分離部１０４へ出力する。即ち、ＴＳ中のスクランブル化放送信号がデスクランブルされて、放送信号が生成される。
【００１３】
多重分離部（ＤＥＭＵＸ）１０４は、デスクランブラ１０３から入力されたＴＳから放送信号、ＳＩ／ＰＳＩ等を分離する。また、多重分離部１０４は、分離した放送信号を映像・音声デコーダ１０５ａへ出力する。また、多重分離部１０４は、分離した放送信号の良否を判定し、その結果を制御部１１１に出力する。例えば、放送信号の分離の可否、分離した放送信号のＢＥＲ（Bit Error Rate）により、放送信号の良否を判定できる。
【００１４】
映像・音声デコーダ１０５ａは、多重分離部１０４から入力された放送信号をデコードして、モニタ１０６、スピーカ１０７へと出力する。
ＯＳＤ（On Screen Display）部１０５ｂは、番組と重畳して、設定メニュー、表示制限設定用の画面、番組表（放送番組表、録画予約番組表、録画済番組表）等をモニタ１０６に表示させる。
モニタ１０６は、ＣＲＴ、液晶表示装置等の表示装置である。スピーカ１０７は、音声出力装置である。
【００１５】
ＥＰＧ処理部１０８は、多重分離部１０４で分離されたＳＩデータから放送番組表（ＥＰＧ（Electronic Program Guide：電子番組ガイド））を構成し、さらに放送番組表の画像信号を生成する。この画像信号によってモニタ１０６に放送番組表が表示される。利用者は放送番組表を用いて番組を確認、予約できる。このとき、後述の表示制限テーブルＴに基づき、視聴が制限された番組の名称の表示が放送番組表上で制限される。なお、放送番組表は主にＥＩＴを用いて作成される。
【００１６】
即ち、ＥＰＧ処理部１０８は、視聴制限情報に対応する番組またはチャンネルの表示が制限される放送番組表を放送信号から生成する放送番組表生成部として機能する。ＥＰＧ処理部１０８は、視聴制限情報に対応する番組またはチャンネルの表示の制限が解除された第２の放送番組表を生成する第２の放送番組表生成部としても機能する。
【００１７】
録画処理部１０９は、多重分離部１０４、あるいは映像・音声デコーダ１０５ａから出力される放送信号を用いて、放送を録画し、再生する。録画処理部１０９は、内蔵するメモリ、ハードディスク等の記憶部、あるいは外部の記憶装置や録画装置に放送番組を録画する。この録画の予約に放送番組表を利用できる。
【００１８】
制御部１１１は、ＣＰＵ（Central Processing Unit：中央演算装置）から構成され、放送受信装置１００全体を制御する。制御部１１１は以下の処理をなす。
【００１９】
（１）録画予約番組表、録画済番組表の生成
制御部１１１は、録画予約番組表、録画済番組表を生成する。録画予約番組表は、録画予約した番組のリストを表す。録画済番組表は、録画された番組のリストを表す。制御部１１１は、視聴制限情報に対応する番組またはチャンネルの表示が制限される録画予約番組表を生成する録画予約番組表生成部として機能する。制御部１１１は、視聴制限情報に対応する番組またはチャンネルの表示が制限される録画済番組表を生成する録画済番組表生成部として機能する。
【００２０】
（２）表示制限テーブルＴの生成
制御部１１１は、番組表（放送番組表、録画予約番組表、録画済番組表）での番組名等の表示を制限するための表示制限テーブルＴを生成し、ＮＶＲＡＭ１２３に記憶させる。
【００２１】
図２は、表示制限テーブルＴの一例を表す模式図である。暗証番号、表示制限（表示制限情報）、表示制限の解除（制限解除情報）が対応して表される。
【００２２】
「暗証番号」は、表示制限テーブルＴの書き換えを可能とする利用者を識別するための情報である。表示制限を設定した利用者が入力した暗証番号がこの欄に表される。その後、この欄の暗証番号と同一の暗証番号を入力することで、表示制限テーブルＴの書き換え、即ち、表示制限の解除が可能となる。
【００２３】
「表示制限」の欄には、番組表（放送番組表、録画予約番組表、録画済番組表）での番組の名称、内容（以下、番組名等という）の表示を制限すること、およびその対象となる利用者の範囲等が表される。「表示制限」の欄に、対象となる利用者の範囲を表す所定の情報が表されていれば、表示制限有りと解釈される。表示制限無しの場合、番組表での番組名等の表示が制限されない。即ち、番組表に番組名等がそのまま表される。表示制限有りの場合、原則として、番組表での番組名等の表示が制限される。即ち、番組表には番組名等が空白または置き換えられて表される。
【００２４】
この例では、利用者の範囲を年齢範囲で表している。「年齢範囲」は、番組表での番組名等の表示を制限する視聴者の年齢の範囲を表す。
【００２５】
「表示制限の解除」の欄は、解除の有無および解除条件に区分される。「解除の有無」は番組表での番組名等の表示の制限の解除の有無を表す。制限解除無しの場合、表示制限が有効となる。制限解除有りの場合、一定条件（解除条件）を満たせば、番組表での番組名等の表示の制限が解除される。
「解除条件」は、番組表での番組名等の表示の制限を解除するための条件を表す。解除条件の例を次のａ．〜ｃ．に示す。
【００２６】
ａ．特定の番組表のみでの制限解除
特定の番組表のみで表示制限を解除する。例えば、表示が制限された放送番組表を表示しているときに、制限解除を設定することで、表示制限が解除された放送番組表が生成、表示される。その放送番組表の表示が停止されると、表示制限状態に復帰する。例えば、表示制限が解除された放送番組表から視聴する番組を選択して視聴した後に、放送番組表を表示させる。このとき、表示が制限された放送番組表が生成、表示される。
【００２７】
ｂ．所定時間内のみでの制限解除
制限解除を設定してから所定時間の間、表示制限が解除された番組表が表示される。所定時間が経過すると、表示制限状態に復帰する。即ち、表示が制限された放送番組表が生成、表示される。
【００２８】
ｃ．所定対象のみでの制限解除
制限解除の対象を放送番組表、録画予約番組表、録画済番組表のいずれか１つ、あるいは２つに特定する。例えば、放送番組表のみで制限を解除した場合、録画予約番組表、録画済番組表では表示が制限される。
【００２９】
解除条件を満たすか否かが制御部１１１によって判断され、解除条件を満たさなくなると、必要に応じて、表示制限テーブルＴが書き換えられる。例えば、特定の番組表のみ、所定時間内のみでの制限解除の場合、「制限解除情報」の「解除の有無」の欄が解除「無し」に書き換えられる。
【００３０】
無線受信部１１２は、リモコン１３１から無線（例えば、赤外線）で送信されるユーザ操作情報を受信する。リモコン１３１は、「カーソル」ボタン、「青」ボタン、「赤」ボタン、「決定」ボタン、「戻り」ボタンを有し、ユーザ操作情報の入力が可能である。
【００３１】
キー入力部１１３は、例えば、放送受信装置１００本体の操作ボタンである。また、キー入力部１１３として、例えば、キーボードのようなユーザ操作情報を入力する入力装置も利用可能である。キー入力部１１３に、「カーソル」ボタン、カラーボタン（「青」ボタン、「赤」ボタン）、「決定」ボタン、「戻り」ボタンを有し、リモコン１３１と同様に、ユーザ操作情報の入力も可能である。
【００３２】
記憶部１２０は、ＲＯＭ（Read Only Memory）１２１、ＲＡＭ（Random Access Memory）１２２、ＮＶＲＡＭ（Non Volatile RAM：不揮発性メモリ）１２３で構成される。ＲＯＭ１２１は、制御部１１１が動作するためのプログラム等を記憶する。ＲＡＭ１２２は、制御部１１１の動作時に利用され、プログラム、データ等が書き込まれる。ＮＶＲＡＭ１２３は、表示制限テーブルＴを記憶する。
【００３３】
（放送受信装置１００の動作）
図３は、放送受信装置１００の動作手順の一例を表すフロー図である。この例では、放送番組表を用いて視聴あるいは録画予約する番組を選択している。
【００３４】
（１）表示制限の設定（ステップＳ１１）
表示制限情報が入力される。例えば、リモコン１３１を用いて、モニタ１０６上に図４の設定メニューを表示させ、「視聴制限設定」を選択することで、図５のような表示制限設定用の画面が表示される。この画面を用いて、表示制限情報および暗証番号を入力する。この例での表示制限情報は、視聴を制限する年齢範囲を表す情報である。暗証番号は表示の制限を解除可能な利用者を特定するために用いられる。入力された表示制限情報、暗証番号に基づいて、表示制限テーブルＴが生成され、ＮＶＲＡＭ１２３に記憶される。この表示制限テーブルＴの「表示制限の解除」の欄には、「解除無し」と記載される。
【００３５】
（２）表示が制限された放送番組表の作成、表示（ステップＳ１２）
モニタ１０６上への放送番組表の表示が指示されると、表示が制限された放送番組表が作成、表示される。表示が制限されていることから、一部の番組の選択が不能となり、再生、録画も制限される（結果として、番組自体の視聴も制限）。
【００３６】
図６は、表示制限無しの放送番組表の例を表す。図７、図８は、表示制限有りの放送番組表の例を表す。図６では、「暴力万歳！」、「血みどろスペシャル！」、「皆殺し！」が番組名として表示される。これに対して、図７では、これらの番組に対応するチャンネルの全体が表示されない。また、図８では、これらの番組名が「有害番組１」〜「有害番組３」に置き換えられて表示される。
【００３７】
（３）表示制限の解除（ステップＳ１３）
制限解除情報が入力され、表示制限テーブルＴが書き換えられ、表示制限が解除される。このとき、ａ．全面的制限解除、ｂ．条件付き制限解除の２つがあり得る。
【００３８】
ａ．全面的制限解除
表示制限を全面的に解除することができる。例えば、リモコン１３１を用いて、モニタ１０６上に図９の設定メニューを表示させ、全面的制限解除用の「視聴制限解除」を選択することで、図１０のような暗証番号入力用の画面が表示される。この画面を用いて、暗証番号を入力する。この結果、表示制限テーブルＴが削除され、表示制限が全面的に解除される。
【００３９】
ｂ．条件付き制限解除
表示制限を条件付きで解除することができる。例えば、図７、図８のように表示が制限された放送番組表がモニタ１０６上に表示されているときに、リモコン１３１を用いて、モニタ１０６上に簡易設定メニューを放送番組表に重畳して表示させ（図１１参照）、「視聴制限解除」を選択することで、暗証番号入力用の画面が表示され（図１０参照）、この画面を用いて、暗証番号を入力する。この結果、表示制限テーブルＴが書き換えられ、表示制限が条件付きで解除される。この例では、特定の放送番組表のみでの制限解除となる。従って、特定の放送番組表のみにおいて、表示制限された番組の確認、選択が可能となる。
【００４０】
一方、後述のように、この放送番組表から通常の放送画面に遷移し、再び放送番組表に戻ってきたときには表示が制限される。このように、再び放送番組表に戻ってきたときに表示が制限されることで、ユーザの操作忘れ等のために、表示制限が解除された状態が続き、青少年等に好ましくない影響を与えることが防止される。
【００４１】
（４）表示が制限されない放送番組表の作成、表示（ステップＳ１４）
表示制限が解除された放送番組表が作成、表示される（図６参照）。
【００４２】
（５）番組の選択（ステップＳ１５）
放送番組表から番組を選択する。再生、予約録画の対象を選択するためである。放送番組表での表示の制限が解除されているので、視聴制限されている番組をも選択できる。
【００４３】
（６）再生、予約録画の選択（ステップＳ１６）
再生、予約録画が選択される。表示制限が解除されていることから、全ての番組の再生、予約録画が可能となる。
【００４４】
（７）番組の再生（ステップＳ１７）
再生が選択されると、放送番組表から選択された番組が再生される。
【００４５】
（８）表示が制限された放送番組表の作成、表示（ステップＳ１８）
番組の再生後に放送番組表を表示させようとすると、表示制限が解除された放送番組表が作成、表示される。即ち、放送番組表から放送画面へ遷移すると、再び放送番組表に戻ってきたときには番組またはチャンネルの表示が制限される（放送番組表の表示停止により、制限状態に戻る）。
【００４６】
（９）録画予約番組表の生成（ステップＳ２１）
放送番組表から番組を選択して録画予約し、録画予約番組表が生成される。表示制限情報の関係で、この録画予約番組表は、番組、チャンネルの表示が制限される。このとき、表示が制限された録画予約番組表が作成、表示される。
【００４７】
図１２は、表示制限無しの録画予約番組表の例を表す。図１３、図１４は、表示制限有りの録画予約番組表の例を表す。図１２では、「暴力万歳」、「血まみれKids」が番組名として表示される。これに対して、図１３では、これらの番組が表示されない。また、図１４では、これらの番組名が「ダミー番組１」、「ダミー番組２」に置き換えられて表示される。
【００４８】
録画予約番組表は、例えば、表示制限される番組、チャンネルを表す制限対象識別子を含み、この識別子を用いて表示を制限する。表示制限情報、制限解除情報、制限対象識別子によって、録画予約番組表の表示が制御される。制御部１１１は、これらの情報に基づき、録画予約番組表の表示画面データを生成する。この表示画面データにより、モニタ１０６上に録画予約番組表が表示される。
【００４９】
（１０）録画予約番組表の表示制限の解除・表示（ステップＳ２２）
録画予約番組表の表示制限を条件付きで解除することができる。例えば、図１３、図１４のように表示が制限された録画予約番組表がモニタ１０６上に表示されているときに、リモコン１３１を用いて、モニタ１０６上に簡易設定メニューを録画予約番組表に重畳して表示させ、「視聴制限解除」を選択し、暗証番号を入力する。この結果、表示制限テーブルＴが書き換えられ、表示制限が条件付きで解除される。この例では、特定の番組表のみでの制限解除となる。
【００５０】
表示制限が解除されていることから、制御部１１１は、制限対象識別子に対応する番組、チャンネルの名称等が表された録画予約番組表の表示画面データを生成する。この表示画面データにより、モニタ１０６上に録画予約番組表が表示される。
【００５１】
なお、この録画予約番組表の表示を停止し、再表示すると、録画予約番組表上での番組名等の表示が制限される。
【００５２】
（１１）録画（ステップＳ２３）
録画予約番組表に従って、番組が録画される。
【００５３】
（１２）録画済番組表の生成（ステップＳ２４）
録画済番組表が生成される。表示制限情報の関係で、この録画済番組は、番組、チャンネルの表示が制限される。
【００５４】
（１３）録画予約番組表の表示制限の解除・表示（ステップＳ２５）
録画済番組表の表示制限を条件付きで解除することができる。この詳細は、ステップＳ２２と対応するので、詳細な説明を省略する。
【００５５】
以上のように、本実施形態では、番組の再生に加えて、番組表での番組の名称や内容説明の表示が制限される。従来は、番組の視聴そのものは制限されていたが、番組の視聴、録画のための番組表上での表示が制限されていなかった。このため、番組表上で、子供等が有害な文言等を目にする可能性があった。本実施形態では、このような可能性を低減できる。
【００５６】
（その他の実施形態）
本発明の実施形態は上記の実施形態に限られず拡張、変更可能であり、拡張、変更した実施形態も本発明の技術的範囲に含まれる。
例えば、本実施形態の放送受信装置１００は、録画機能付きのデジタルテレビに対応する。しかし、本実施形態は、テレビだけでなくハードディスクレコーダ等の録画機器や、チューナなどにも適用できる。
また放送については、電波を使ったテレビ放送以外に、通信ネットワークを通じた放送（いわゆるＩＰ放送）にも適用できる。
【図面の簡単な説明】
【００５７】
【図１】本発明の一実施形態に係る放送受信装置１００を表すブロック図である。
【図２】表示制限テーブルＴの一例を表す模式図である。
【図３】放送受信装置１００の動作手順の一例を表すフロー図である。
【図４】設定メニューの一例を表す模式図である。
【図５】表示制限設定用の画面一例を表す模式図である。
【図６】表示制限無しの放送番組表の例を表す模式図である。
【図７】表示制限有りの放送番組表の例を表す模式図である。
【図８】表示制限有りの放送番組表の例を表す模式図である。
【図９】設定メニューの一例を表す模式図である。
【図１０】暗証番号入力用の画面の一例を表す模式図である。
【図１１】簡易設定メニューの一例を表す模式図である。
【図１２】表示制限無しの録画予約番組表の例を表す模式図である。
【図１３】表示制限有りの録画予約番組表の例を表す模式図である。
【図１４】表示制限有りの録画予約番組表の例模式図である。
【符号の説明】
【００５８】
１００…放送受信装置、１０１…アンテナ、１０２…チューナ・復調部、１０３…デスクランブラ、１０４…多重分離部（ＤＥＭＵＸ）、１０５ａ…映像・音声デコーダ、１０５ｂ…ＯＳＤ部、１０６…モニタ、１０７…スピーカ、１０８…ＥＰＧ処理部、１０９…録画処理部、１１１…制御部、１１２…無線受信部、１１３…キー入力部、１２０…記憶部、１２１…ＲＯＭ、１２２…ＲＡＭ、１２３…ＮＶＲＡＭ、１３１…リモコン
【図１】
2009201040.tif 000003
【図２】
2009201040.tif 000004
【図３】
2009201040.tif 000005
【図４】
2009201040.tif 000006
【図５】
2009201040.tif 000007
【図６】
2009201040.tif 000008
【図７】
2009201040.tif 000009
【図８】
2009201040.tif 000010
【図９】
2009201040.tif 000011
【図１０】
2009201040.tif 000012
【図１１】
2009201040.tif 000013
【図１２】
2009201040.tif 000014
【図１３】
2009201040.tif 000015
【図１４】
2009201040.tif 000016